(57)【特許請求の範囲】
【請求項１】
ユーザの指によるタッチ操作が可能なタッチパネル（１２０）と、
前記タッチパネル（１２０）に設けられた入力用の機械スイッチ（１３０）とを備え、前記タッチパネル（１２０）に対する前記タッチ操作、あるいは前記機械スイッチ（１３０）に対するスイッチ操作によって、所定の機器（１０）に対する入力操作を可能とする操作装置であって、
前記機械スイッチ（１３０）は、
前記タッチパネル（１２０）のタッチ面（１２１）側に設けられた操作ノブ（１３１）と、
前記操作ノブ（１３１）から前記タッチ面（１２１）側に延びる軸部（１３２）と、
弾性を有し、前記タッチ面（１２１）上における所定の２軸方向とは異なり、前記軸部（１３２）の先端を中心とする径方向で、且つ先端部（１３８ａ）が前記タッチ面（１２１）に向かう方向に延びる弾性部（１３８）と、
前記弾性部（１３８）の先端に設けられて、前記タッチ面（１２１）に接触する接触部（１３９）とを備え、
前記操作ノブ（１３１）が押し込まれたときに、前記軸部（１３２）を介して、前記弾性部（１３８）が前記タッチ面（１２１）に沿うように弾性変形しつつ、前記接触部（１３９）が前記タッチ面（１２１）に接触しながら前記径方向に移動し、
前記操作ノブ（１３１）が前記所定の２軸方向のいずれかにスライドされたときに、前記接触部（１３９）が前記タッチ面（１２１）に接触しながら前記スライドされた方向に移動し、
前記操作ノブ（１３１）が前記軸部（１３２）を中心にして回転されたときに、前記接触部（１３９）が前記タッチ面（１２１）に接触しながら回転された方向に移動することを特徴とする操作装置。
【請求項２】
前記弾性部（１３８）、および前記接触部（１３９）は、互いに異なる前記径方向に、複数組み設けられたことを特徴とする請求項１に記載の操作装置。
【請求項３】
前記操作ノブ（１３１）が押し込まれたときは、前記接触部（１３９）と非連動となり、前記操作ノブ（１３１）がスライド、あるいは回転されたときに、前記接触部（１３９）と連動する連動部（１３７１）を備えており、
前記接触部（１３９）とは異なる位置で、前記連動部（１３７１）に固定されて、前記タッチ面（１２１）に接触する別の接触部（１３９Ａ）が設けられたことを特徴とする請求項１または請求項２に記載の操作装置。
【発明の詳細な説明】
【技術分野】
【０００１】
本発明は、指のタッチ操作による入力を可能とするタッチパネルに、機械スイッチが設けられた操作装置に関するものである。
【背景技術】
【０００２】
従来の操作装置として、例えば、特許文献１に記載されたものが知られている。特許文献１の操作装置（電子機器）は、画像表示されると共に、指によるタッチ操作入力を可能とするタッチパネルと、機械スイッチとを備えている。機械スイッチは、タッチパネルの周囲に、後付け装着可能となっている。
【０００３】
機械スイッチとしては、押しボタン、ダイヤルノブ、あるいはスライドボタンのいずれかが用いられることが記載されている。押しボタンは、押下部に対する押し操作によって、押下部に設けられた接点突起が、タッチパネルのタッチ面に接触するものとなっている。また、ダイヤルノブは、回転部に歯車状の突起が設けられており、回転部に対する回転操作によって、歯車状突起が回転方向に移動し、歯車状突起に係合する支柱が傾斜されて、支柱先端の三日月状の爪の先端のいずれか一方がタッチ面に接触するものとなっている。また、スライドボタンは、操作ノブに設けられたスライド板が取付け溝に挿入されており、操作ノブを押し下げ、且つスライドさせることで、操作ノブに設けられた接触突起がタッチ面にスライドしながら接触するものとなっている。
【先行技術文献】
【特許文献】
【０００４】
【特許文献１】特開２０１２−１８４４８号公報
【発明の概要】
【発明が解決しようとする課題】
【０００５】
しかしながら、上記特許文献１の操作装置では、３種類の機械スイッチの記載はあるものの、それぞれのスイッチは、単独の機能を備えるものであり、構造上も専用の機構を備えており、３つのスイッチを単純に組み合わることはできない。つまり、特許文献１の各機械スイッチは、それぞれ、１つの操作で１つの入力しか行うことができず、よって、複数種類の入力を可能にしようとすると、複数の機械スイッチを設定することが必要になる。
【０００６】
本発明の目的は、上記問題に鑑み、タッチパネルに機械スイッチが設けられるものにおいて、１つの機械スイッチで３種類の入力操作を可能とする操作装置を提供することにある。
【課題を解決するための手段】
【０００７】
本発明は上記目的を達成するために、以下の技術的手段を採用する。
【０００８】
本発明では、ユーザの指によるタッチ操作が可能なタッチパネル（１２０）と、
タッチパネル（１２０）に設けられた入力用の機械スイッチ（１３０）とを備え、タッチパネル（１２０）に対するタッチ操作、あるいは機械スイッチ（１３０）に対するスイッチ操作によって、所定の機器（１０）に対する入力操作を可能とする操作装置であって、
機械スイッチ（１３０）は、
タッチパネル（１２０）のタッチ面（１２１）側に設けられた操作ノブ（１３１）と、
操作ノブ（１３１）からタッチ面（１２１）側に延びる軸部（１３２）と、
弾性を有し、タッチ面（１２１）上における所定の２軸方向とは異なり、軸部（１３２）の先端を中心とする径方向で、且つ先端部（１３８ａ）がタッチ面（１２１）に向かう方向に延びる弾性部（１３８）と、
弾性部（１３８）の先端に設けられて、タッチ面（１２１）に接触する接触部（１３９）とを備え、
操作ノブ（１３１）が押し込まれたときに、軸部（１３２）を介して、弾性部（１３８）がタッチ面（１２１）に沿うように弾性変形しつつ、接触部（１３９）がタッチ面（１２１）に接触しながら径方向に移動し、
操作ノブ（１３１）が所定の２軸方向のいずれかにスライドされたときに、接触部（１３９）がタッチ面（１２１）に接触しながらスライドされた方向に移動し、
操作ノブ（１３１）が軸部（１３２）を中心にして回転されたときに、接触部（１３９）がタッチ面（１２１）に接触しながら回転された方向に移動することを特徴としている。
【０００９】
この発明によれば、操作ノブ（１３１）の軸部（１３２）に弾性部（１３８）が設けられて、この弾性部（１３８）の先端に接触部（１３９）が設けられている。そして、操作ノブ（１３１）に対する押し込み操作、スライド操作、および回転操作があると、接触部（１３９）は、タッチ面（１２１）に対してそれぞれ異なる移動形態を形成することができる。よって、１つの機械スイッチ（１３０）によって、３種類の異なる入力操作が可能となる。
【００１０】
尚、上記各手段の括弧内の符号は、後述する実施形態記載の具体的手段との対応関係を示すものである。
【図面の簡単な説明】
【００１１】
【図１】操作装置の全体構成を示す説明図である。
【図２】図１の機械スイッチにおけるII−II部を示す断面図である。
【図３】図２の機械スイッチを示す分解斜視図である。
【図４】未操作時における弾性部の形状を示す断面図である。
【図５】未操作時における弾性部の形状を示す平面図である。
【図６】押込み操作時における弾性部の形状を示す断面図である。
【図７】押込み操作時における弾性部の形状を示す平面図である。
【図８】押込み、スライド、および回転操作時における接触部の移動形態を示す説明図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態の操作装置１００について、図１〜図８を用いて説明する。操作装置１００は、車両用として設定されている。操作装置１００は、ユーザがタッチパネル１２０に対するタッチ操作、あるいは機械スイッチ１３０に対するスイッチ操作することで、車両に搭載される所定の機器１０の作動条件を設定して（入力操作して）、制御部１４０によって作動状態を制御する装置となっている。所定の機器１０は、例えば、カーナビゲーション装置、車両用空調装置、およびラジオ、ＣＤプレーヤー等のオーディオ装置等である。
【００１４】
操作装置１００は、図１に示すように、ディスプレイ１１０、タッチパネル１２０、機械スイッチ１３０、および制御部１４０等を備えている。ディスプレイ１１０、タッチパネル１２０、および機械スイッチ１３０は、入力部を形成し、車両のインストルメントパネルの例えば中央部に配置されて、ユーザから見やすく、また操作（タッチ操作、スイッチ操作）しやすいように設けられている。制御部１４０は、インストルメントパネル内に配置されている。
【００１５】
ディスプレイ１１０は、図１に示すように、ユーザ側から見た正面形状が横長の四角形を成す表示部となっており、例えば、液晶ディスプレイ、有機ＥＬディスプレイ等によって構成されている。ディスプレイ１１０には、制御部１４０によって、所定の機器１０の作動状態、および作動条件を入力するための各種アイコンが表示されるようになっている。各種アイコンは、入力項目が大別されたメニューアイコン、更に具体的な作動条件を設定するための設定アイコン等が階層的に設けられており、ディスプレイ１１０の表示面の所定領域に表示されるようになっている。ディスプレイ１１０の外周部には、外枠部１１０ａが設けられている。
【００１６】
タッチパネル１２０は、ユーザの指によるタッチ操作を可能とするものである。タッチパネル１２０は、透明で、上記ディスプレイ１１０の表示面に対応する四角形の板状を成す検知部であり、ディスプレイ１１０の表示面（表面）に対向する位置に設けられている。タッチパネル１２０のタッチ操作が行われる側の面（ユーザ側の表面）は、タッチ面１２１となっている。ディスプレイ１１０における所定機器１０の作動状態、および各種アイコン等は、タッチパネル１２０を透過してユーザに視認されるようになっている。
【００１７】
タッチパネル１２０としては、例えば、静電容量式のもの、あるいは、抵抗膜式のもの等、各種タイプのものを使用することができる。本実施形態では、タッチパネル１２０は、静電容量式（自己容量方式）のものが使用されている。静電容量式のタッチパネル１２０には、マトリックス状に形成された複数の透明な電極が設けられている。タッチパネル１２０は、ユーザのタッチ操作による指の位置に応じて発生する電極間の電気力線の変化をもとに、指がタッチパネル１２０上のどこにあるか、あるいはどこからどこへ移動したかを検知して、検知信号を制御部１４０へ出力するようになっている。
【００１８】
また、同様に、タッチパネル１２０は、ユーザの機械スイッチ１３０に対するスイッチ操作による接触部１３９、１３９Ａ（詳細後述）の位置に応じて発生する電極間の電気力線の変化をもとに、接触部１３９、１３９Ａがタッチパネル１２０上のどこにあるか、あるいはどこからどこへ移動したかを検知して、検知信号を制御部１４０へ出力するようになっている。
【００１９】
機械スイッチ１３０は、後述するように、ユーザによる押込み、スライド、および回転等のスイッチ操作による入力を可能とする入力用のスイッチとなっており、タッチパネル１２０の所定部位に所定数、設けられている。ここでは、図１に示すように、機械スイッチ１３０は、タッチパネル１２０の左右端部の下側に、２つ設けられている。
【００２０】
機械スイッチ１３０は、図２、図３に示すように、操作ノブ１３１、軸部１３２、スライドスイッチガイド１３３、バネホルダ１３４、センタリングプレート１３５、取付け板１３６、プレート保持部１３７、弾性部１３８、および接触部１３９等を備えている。
【００２１】
操作ノブ１３１は、ユーザがスイッチ操作する際に指が触れる部位となっており、プッシュスイッチ部１３１１、およびコイルバネ１３１２を有している。操作ノブ１３１は、扁平な円筒状を成して、筒内部において軸方向の中間位置に板状部が設けられて形成されており、タッチ面１２１側に、即ち、タッチ面１２１から所定距離離れた位置に配置されている。操作ノブ１３１（板状部）の中心部のタッチ面１２１側には、軸部１３２が挿通される軸孔部１３１ａが設けられており、また、タッチ面１２１とは反対側には、プッシュスイッチ部１３１１の中心部における突部が挿入されると共に、コイルバネ１３１２が収容される空間部１３１ｂが設けられている。
【００２２】
プッシュスイッチ部１３１１は、操作ノブ１３１（板状部）のユーザ側に配置された円形の板部材であり、中心部に操作ノブ１３１側に突出する突部が形成されている。この突部は、操作ノブ１３１の空間部１３１ｂに挿入されている。プッシュスイッチ部１３１１は、操作ノブ１３１の軸方向に移動可能となっている。
【００２３】
コイルバネ１３１２は、プッシュスイッチ部１３１１に対して、タッチ面１２１側への押込み操作が成されたときに、押込みとは反対方向に付勢力を与える弾性部材であり、空間部１３１ｂ内に収容されている。
【００２４】
軸部１３２は、一端側がプッシュスイッチ部１３１１の突部に固定されて、他端側がタッチ面１２１側に延びている。軸部１３２の他端側は、弾性部１３８における軸受け１３２ｃに固定されている。軸部１３２は、操作ノブ１３１の軸孔部１３１ａに対して、軸方向に移動可能であり、また、回転方向の移動は規制されている。よって、操作ノブ１３１を回転させると、軸部１３２は、操作ノブ１３１と共に回転するようになっている。
【００２５】
スライドスイッチガイド１３３は、後述するバネホルダ１３４を覆う部材であり、扁平な有底筒状を成して、底部に開口部１３３ａが形成されている。スライドスイッチガイド１３３は、操作ノブ１３１のタッチ面１２１側に配置されている。
【００２６】
バネホルダ１３４は、スライドスイッチガイド１３３のタッチ面１２１側に配置されており、円形の板部材の中心側に扁平な有底筒状部１３４ａが設けられて形成されている。有底筒状部１３４ａの底部側は、スライドスイッチガイド１３３の開口部１３３ａに挿入されて、バネホルダ１３４は、スライドスイッチガイド１３３に固定されている。
【００２７】
有底筒状部１３４ａの中心部には、軸受け１３２ａの筒径よりも大きく設定された開口部１３４ｂが形成されている。この開口部１３４ｂによって、センタリングプレート１３５のスライド移動が可能となっている。スライド移動は、軸受け１３２ａの軸方向に直交する方向への移動である。
【００２８】
また、有底筒状部１３４ａの周囲には、複数（ここでは、４つ）の窓部１３４ｃが開口されている。複数の窓部１３４ｃの位置は、タッチ面１２１上における所定の２軸方向、例えば、ｘ、ｙ軸方向（図３）にそれぞれ対応する位置となっている。また、有底筒状部１３４ａの周囲には、両端部が接続されて、全体形状がリング状を成すコイルバネ１３４ｄが配置されている。
【００２９】
センタリングプレート１３５は、円形の板状部材であり、バネホルダ１３４の有底筒状部１３４ａの内部に配置されている。センタリングプレート１３５の外周部には、上記バネホルダ１３４の窓部１３４ｃに対応するように、複数（４つ）の突部１３５ａが設けられている。バネホルダ１３４とセンタリングプレート１３５の中心位置が一致している状態で、突部１３５ａは、窓部１３４ｃから突出しない位置にある。また、バネホルダ１３４に対してセンタリングプレート１３５が、例えば、ｘ、ｙ軸方向（図３）に移動するようなスライド移動すると、移動方向と突出方向が一致する突部１３５ａが窓部１３４ｃから飛び出すようになっている。突部１３５ａが窓部１３４ｃから飛び出すと、センタリングプレート１３５を中心位置側に戻す方向に、コイルバネ１３４ｄの付勢力が作用するようになっている。また、センタリングプレート１３５の中心部には、軸受け１３２ａが挿通される軸受け孔１３５ｂが設けられている。
【００３０】
取付け板１３６は、機械スイッチ１３０をタッチ面１２１の表面に保持する帯状の板部材であり、一方側の端部は、ディスプレイ１１０の外枠部１１０ａに固定されている。取付け板１３６の他方側は、バネホルダ１３４およびセンタリングプレート１３５のタッチ面１２１側に配置されている。取付け板１３６のバネホルダ１３４およびセンタリングプレート１３５の中心位置に対応する部位には、軸受け１３２ａ（１３２ｂ）の筒径よりも大きく設定された開口部１３６ａが形成されている。この開口部１３６ａによって、センタリングプレート１３５のスライド移動が可能となっている。そして、バネホルダ１３４は、固定ネジ１３６ｂによって、取付け板１３６に固定されている。
【００３１】
上記バネホルダ１３４の開口部１３４ｂ、センタリングプレート１３５の軸受け孔１３５ｂ、および取付け板１３６の開口部１３６ａには、センタリングプレート１３５と取付け板１３６との間に円形板状のフランジ部の形成された筒状の軸受け１３２ａが挿通されている。軸受け１３２ａの軸方向の一端側は、操作ノブ１３１に固定されている。また、軸受け１３２ａの軸方向の他端側は、後述する軸受け１３２ｂに固定されている。そして、軸部１３２の中間部が、この軸受け１３２ａに挿通されている。
【００３２】
プレート保持部１３７は、プレート１３７１を保持する部材であり、扁平な有底筒状を成して、取付け板１３６のタッチ面１２１側に配置されている。プレート保持部１３７の底部には、軸受け１３２ｂが挿通される軸受け孔１３７ａが設けられている。
【００３３】
上記取付け板１３６の開口部１３６ａ、およびプレート保持部１３７の軸受け孔１３７ａには、取付け板１３６とプレート保持部１３７との間に円形板状のフランジ部の形成された筒状の軸受け１３２ｂが挿通されている。軸受け１３２ｂの軸方向の一端側は、軸受け１３２ａに固定されている。また、軸受け１３２ｂの軸方向の他端側は、軸受け孔１３７ａに固定されている。そして、軸部１３２の中間部が、この軸受け１３２ｂに挿通されている。
【００３４】
プレート１３７１は、円形の板状部材であり、プレート保持部１３７の開口側を塞ぐようにして、プレート保持部１３７に対して回転可能に支持されている。プレート１３７１は、本発明の連動部に対応する。プレート１３７１には、中心位置から径方向の外側に延びる溝部１３７１ａ、１３７１ｂが設けられている。溝部１３７１ａ、１３７１ｂは、ここでは、全部で３つ設けられており、Ｙ字を成すように形成されている。３つの溝部１３７１ａ、１３７１ｂのうち、２つの溝部１３７１ａは、タッチ面１２１におけるｘ、ｙ軸方向とは異なる方向に延びている。また、残りの１つの溝部１３７１ｂは、ｘ、ｙ軸方向のうちｙ軸方向に延びている。
【００３５】
弾性部１３８は、図４、図５に示すように、ゴム材や軟質樹脂材等の板状の弾性材から形成されており、軸部１３２に沿う軸方向から見たときに、外形がＶ字を成して、２つの溝部１３７１ａに沿うように形成されている。つまり、弾性部１３８は、軸部１３２の位置（中心位置）から径方向の外側に延びている。弾性部１３８が延びる方向は、当然ながら溝部１３７１ａと同じく、タッチ面１２１におけるｘ、ｙ軸方向とは異なる方向となっている。
【００３６】
更に、弾性部１３８の先端部１３８ａは、上記のように径方向を向きつつも、タッチ面１２１側に向かうように延びている。つまり、図４に示すように、断面で見た場合に、弾性部１３８の軸部１３２に対応する部位（中心位置）が、プレート１３７１よりも操作ノブ１３１側に突出しており、先端部１３８ａがプレート１３７１の溝部１３７１ａに至るように、滑らかな曲線を描いており、あたかも拡げられた傘のような形状となっている。
【００３７】
弾性部１３８の中心位置には、円形板状のフランジ部と、このフランジ部から突出する突部とが形成された軸受け１３２ｃが設けられている。軸受け１３２ｃの突部は、弾性部１３８に固定されており、また軸受け１３２ｃのフランジ部は、プレート保持部１３７の底部に当接するように配置されている。そして、軸部１３２の他端側が、軸受け１３２ｃに固定されている。
【００３８】
接触部１３９は、導電性材から形成された部材であり、弾性部１３８の先端部１３８ａに設けられて、タッチ面１２１側に突出して、タッチ面１２１に常に接触するようになっている。接触部１３９は、例えば半球体を成すように形成されており、突出先端の球面がタッチ面１２１に接触している。
【００３９】
更に、接触部１３９とは異なる位置に別の接触部１３９Ａが設けられている。この接触部１３９Ａは、接触部１３９と同様に導電性材から形成されており、溝部１３７１ｂの径方向の所定位置に固定されて、突出先端の球面がタッチ面１２１に接触している。
【００４０】
制御部１４０は、ディスプレイ１１０、タッチパネル１２０、および所定の機器１０と接続されている。制御部１４０は、ディスプレイ１１０における各種アイコン、更には所定機器１０の作動状態にかかる表示を制御すると共に、タッチパネル１２０、あるいは機械スイッチ１３０によって検知された検知信号に対応するアイコンの作動条件で所定の器１０の作動を制御するようになっている。
【００４１】
操作装置１００は、以上のように構成されており、以下、操作装置１００の作動について説明する。
【００４２】
まず、タッチパネル１２０を用いたタッチ操作は、主に、運転動作を伴わない車両の停車時に、ディスプレイ１１０に表示される作動状態や、各種アイコンを見ながら行う操作となる。一方、機械スイッチ１３０を用いたスイッチ操作は、主に、運転中において、ディスプレイ１１０の表示を注視せずとも、機械スイッチ１３０に対する手の感触をもって行う、いわゆるブラインドタッチの操作となる。
【００４３】
機械スイッチ１３０においては、上記で説明した構造を有していることから、以下のように、押込み、スライド、および回転によってタッチ面１２１に対して、それぞれ異なる接触部１３９、１３９Ａの動きが得られるようになっている。
【００４４】
即ち、操作ノブ１３１におけるプッシュスイッチ部１３１１をタッチ面１２１側に押込むと、コイルバネ１３１２の付勢力に打ち勝って、軸部１３２がタッチ面１２１側に移動する。すると、未操作状態にある図４、図５の状態に対して、図６、図７に示すように、弾性部１３８の軸部１３２に対応する部位が、弾性変形してタッチ面１２１側に移動される。これに伴って、各弾性部１３８の先端部１３８ａ、即ち接触部１３９は、タッチ面１２１に対して軸部１３２を中心とする径方向の外側に向かうように移動する。このとき、別の接触部１３９Ａは、プレート１３７１において接触部１３９とは非連動の関係にあり、別の接触部１３９Ａの位置は変わらずに維持される。尚、押込み操作を解除すると、コイルバネ１３１２の付勢力によって、プッシュスイッチ部１３１１は元の位置にもどされる。
【００４５】
また、操作ノブ１３１をタッチパネル１２０の２軸方向、即ち、ｘ軸方向、あるいはｙ軸方向にスライドさせると、軸部１３２がこのスライド方向に移動する。ここで、バネホルダ１３４の開口部１３４ｂと、取付け板１３６の開口部１３６ａとが、軸受け１３２ａ、１３２ｂの筒径よりも大きく設定されていることから、軸部１３２の移動に合わせて、センタリングプレート１３５が、コイルバネ１３４ｄの付勢力に打ち勝って移動する。この時、センタリングプレート１３５の突部１３５ａのうち、スライド方向に突出している突部１３５ａがバネホルダ１３４の窓部１３４ｃからコイルバネ１３４ｄ側に飛び出す。
【００４６】
更に、軸部１３２の移動に合せて、プレート保持部１３７、および弾性部１３８がスライド方向に移動する。そして、弾性部１３８の移動に伴って、接触部１３９がスライド方向に移動し、これに伴い、プレート１３７１がスライド方向に移動する。このとき、別の接触部１３９Ａは、プレート１３７１に固定されていることから、プレート１３７１において接触部１３９と連動して、スライド方向に移動する。尚、スライド操作を解除すると、コイルバネ１３４ｄの付勢力によって、突部１３５ａが窓部１３４ｃ内に押し戻されて、移動した各部材は元の位置に戻される。
【００４７】
また、操作ノブ１３１を軸部１３２周りに回転させると、軸部１３２が回転し、弾性部１３８が回転方向に移動する。そして、弾性部１３８の移動に伴って、接触部１３９が回転方向に移動し、これに伴い、プレート１３７１が回転する。このとき、別の接触部１３９Ａは、プレート１３７１に固定されていることから、プレート１３７１において接触部１３９と連動して、回転方向に移動する。
【００４８】
以上のように、本実施形態では、操作ノブ１３１の軸部１３２に弾性部１３８が設けられて、この弾性部１３８の先端に接触部１３９が設けられている。そして、操作ノブ１３１（プッシュスイッチ部１３１１）に対する押し込み操作、スライド操作、および回転操作があると、接触部１３９は、図８にまとめたように、タッチ面１２１に対してそれぞれ異なる移動形態を形成することができる。よって、１つの機械スイッチ１３０によって、３種類の異なる入力操作が可能となる。
【００４９】
例えば、所定の機器１０がカーナビゲーション装置であると、機械スイッチ１３０をスライド操作することで、メインメニューのうちのいずれかを選択する。次に、下位のメニューに対して、機械スイッチ１３０を回転させることで具体的な設定条件等を選択し、最終的に設定した条件に対して、機械スイッチ１３０を押込むことで決定状態として、カーナビゲーション装置を作動させることができる。車両用空調装置やオーディオ装置等においても同様の入力操作が可能である。
【００５０】
また、接触部１３９は、各操作によって、接触、非接触の切替えではなくて、タッチ面１２１上を移動するものとなるので、接触部１３９の移動量に応じた入力レベルを設定することができ、単純なオン、オフ入力に限らず、無段階なリニアな入力操作が可能となる。
【００５１】
また、弾性部１３８をＶ字にして、それぞれの弾性部１３８に対して接触部１３９を設けるようにしている。つまり、複数組みの弾性部１３８と接触部１３９とを設けているので、入力操作時の検知信号の検出レベルを安定化させることができる。
【００５２】
また、接触部１３９に対して、別の接触部１３９Ａを設けるようにしているので、例えば、別の接触部１３９Ａの位置を基準として、各押込み、スライド、回転の動きの違いを明確に識別することができると共に、接触部１３９、１３９Ａのタッチ面１２１上での動きを安定させることができる。
【００５３】
（その他の実施形態）
上記実施形態では、弾性部１３８、および接触部１３９を複数組み（２組）設けるものとしたが、最小源、１組設けるものとしてもよい。また、別の接触部１３９Ａは、必要に応じて設定すればよく、廃止したものとしてもよい。
【００５４】
また、プレート１３７１における溝部１３７１ａ、１３７１ｂは、Ｙ字状を成すものとして説明したが、接触部１３９に対応するＶ字状の溝と、このＶ字状の溝とは独立しており、他の接触部１３９Ａを固定するための溝とに分けたものとしてもよい。また、溝部１３７１ｂは設けずに、他の接触部１３９Ａを直接、プレート１３７１に固定してもよい。
【００５５】
また上記実施形態では、機械スイッチ１３０をタッチパネル１２０に対して、２つ設けるものとして説明したが、機械スイッチ１３０の設定数は、これに限定されるものではなく、必要に応じた数を設定するようにすればよい。
【符号の説明】
【００５６】
１０  所定の機器
１００  操作装置
１２０  タッチパネル
１２１  タッチ面
１３０  機械スイッチ
１３１  操作ノブ
１３２  軸部
１３７１  プレート（連動部）
１３８  弾性部
１３９  接触部
１３９Ａ  接触部（別の接触部）
【図１】
0006319182.tif 000002
【図２】
0006319182.tif 000003
【図３】
0006319182.tif 000004
【図４】
0006319182.tif 000005
【図５】
0006319182.tif 000006
【図６】
0006319182.tif 000007
【図７】
0006319182.tif 000008
【図８】
0006319182.tif 000009